(57)【要約】【課題】男性が排尿する際に、尿が確実に便器内に排出されるようにした便器周囲への尿飛散防止装置を得る。【解決手段】便器（１）の前部側の床（１０）面に足部が嵌合する凹部（１１，２０）を設け、該凹部（１１，２０）の上部に踏み板（１２，２１）を開閉可能又は昇降可能に設ける。前記凹部（１１，２０）の深さは２０ｃｍ〜３０ｃｍとする。また、前記踏み板（１２，２１）をスイッチ（１６，２３）の操作によって開閉又は昇降させる駆動装置（１５，２２）を設ける。【選択図】図１
2010200800.tif 000002
【特許請求の範囲】
【請求項１】
便器の前部側の床面に足部が嵌合する凹部を設け、該凹部の上部に踏み板を開閉可能又は昇降可能に設けたことを特徴とする便器周囲への尿飛散防止装置。
【請求項２】
凹部の深さを２０ｃｍ〜３０ｃｍとしたことを特徴とする請求項１記載の便器周囲への尿飛散防止装置。
【請求項３】
踏み板をスイッチの操作によって開閉又は昇降させる駆動装置を設けたことを特徴とする請求項１又は２記載の便器周囲への尿飛散防止装置。
【発明の詳細な説明】
【技術分野】
【０００１】
本発明は、男性が排尿する際に、尿が確実に便器内に排出されるようにした便器周囲への尿飛散防止装置に関するものである。
【背景技術】
【０００２】
男性が排尿する際に、排出方向が狂って尿が便器の縁部、あるいは蓋の内面等に当たって周囲に飛散したり、便器の外面に沿って垂れたりすることがある。従来は、便器が設置された床面に尿を吸収するマットを敷いたり、洋式便器の下部外周にリング状の尿吸収材を取り付けて便器の外面に沿って垂れる尿を吸収するようにしていた。
【０００３】
前記従来のものは、マット、あるいはリング状の尿吸収材を定期的に取り外して洗浄したり、また、便器外周への尿の付着を防止することができないため、便器の外周を定期的に清掃する必要があり、衛生の維持に手数を要するものであった。
【先行技術文献】
【特許文献】
【０００４】
【特許文献１】特開２００２−３３６１６４号公報
【特許文献２】特開２００７−２０５１０７号公報
【発明の概要】
【発明が解決しようとする課題】
【０００５】
本発明は、男性が便器の前部で起立する床面を凹ませることによって、男性による排尿が確実に便器内に排出されるようにした便器周囲への尿飛散防止装置を得ることを目的とする。
【課題を解決するための手段】
【０００６】
本発明は、前記目的を達成するために以下の如く構成したものである。即ち、請求項１に係る発明は、便器の前部側の床面に足部が嵌合する凹部を設け、該凹部の上部に踏み板を開閉可能又は昇降可能に設けるようにしたものである。
請求項２に係る発明は、前記凹部の深さを２０ｃｍ〜３０ｃｍとしたものである。
請求項３に係る発明は、前記踏み板をスイッチの操作によって開閉又は昇降させる駆動装置を設けるようにしたものである。
【発明の効果】
【０００７】
請求項１に係る発明は、排尿する男性が足部を凹部に嵌合させて起立すると、排尿源（男性性器）が便器の直上方に位置し、排尿した尿が確実に便器内に排出されることになる。このため、尿が便器から周囲に飛散したり、便器の縁部に付着したりしなくなる。
請求項２に係る発明は、前記凹部の深さを２０ｃｍ〜３０ｃｍにすると、排尿源が便器の直上方に効果的に接近し、便器からの尿の飛散、及び便器への尿の付着が確実に防止されることになる。請求項３に係る発明は、スイッチを操作することによって踏み板が開閉又は昇降することになるので、排尿時における踏み板の開閉又は昇降作業が簡便となる。
【図面の簡単な説明】
【０００８】
【図１】本発明第１実施例による踏み板の閉じ状態を示す一部断面側面図である。
【図２】本発明第１実施例による排尿姿勢状態を示す一部断面側面図である。
【図３】図１の平面図である。
【図４】本発明第２実施例による踏み板の閉じ状態を示す一部断面側面図である。
【図５】本発明第２実施例による排尿姿勢状態を示す一部断面側面図である。
【図６】図４の平面図である。
【発明を実施するための形態】
【０００９】
図１において、１は洋式便器であり、陶器製の便器本体２、プラスチック製の便座３及び蓋４を有する。前記便座３及び蓋４は、便器本体２の後部に上下回動可能に連結され、便座３は平面視リング状、あるいは前部が分割された分割リング状に形成され、大便をする際には下方に回動されて便器本体２の上縁部に当接し、排便者の臀部を支持するようになっている。また、前記蓋４は下方に回動された際に前記便座３の上面側に重なり、便座３及び便器本体２の上面を閉塞するようになっている。
【００１０】
１０は前記洋式便器１が設置される床である。該床１０の便器本体２の前部側に位置する部位に凹部１１を形成する。該凹部１１は、排尿する使用者（男性）Ｍの足部が嵌合できるようにしたもので、本例では、図１、図３に示すように、便器本体２の前部外周を包囲するように平面視凹形に凹ませる。即ち、左右中心部の前後幅Ｗ１が２０ｃｍ〜２５ｃｍ、左右両側部の前後幅Ｗ２が３０ｃｍ〜４０ｃｍ、深さＳ１が２０〜３０ｃｍ、左右幅Ｌ１は便器本体２の左右幅よりも広幅となる５０ｃｍ〜６０ｃｍとする。
【００１１】
前記凹部１１の上面は踏み板１２によって開閉される。該踏み板１２は、前記凹部１１の平面面積よりも若干広くなる異形の長方形状にするとともに、左右中心部で２分割し、これらを左右の端部で支点軸１３を介して床面に観音開き状に上下回動可能に支持する。前記各支点軸１３はモータ１５（駆動装置）に連結され、該モータ１５を正逆回転させることによって前記踏み板１２を上下に回動させ、凹部１１の上面を開閉する。
【００１２】
前記モータ１５は、凹部１１の前部側の床面に取り付けたフットスイッチ（スイッチ）１６を１回踏む（押す）とモータ１５が正回転し、支点軸１３を介して前記踏み板１２を上方に回動させて凹部１１の上面を開き（図１の仮想線の状態））、前記フットスイッチ１６を再度踏むとモータ１５が逆回転し、支点軸１３を介して前記踏み板１２を下方に回動させ、前記凹部１１の上面を閉じる（図１の実線の状態）ようになっている。なお、前記フットスイッチ１６は、便所内の壁に設置し、使用者が手で操作するようにしてもよい。また、前記踏み板１２は床面に沿って摺動するスライド式にしてもよい。
【００１３】
前記第１実施例によれば、使用者（男性）Ｍが凹部１１の外側で起立し、一方の足でフットスイッチ１６を踏むと、モータ１５が正回転して踏み板１２が図１の仮想線で示すように上方に回動され、凹部１１を開くことになる。この状態で、使用者（男性）Ｍが足部を凹部１１に嵌合させ、この部で起立すると、図２に示すように、排尿源（男性性器）が便器本体２の直上方に位置し、排尿した尿が確実に便器本体２内に排出されることになる。このため、尿が便器本体２から周囲に飛散したり、便器本体２の縁部に付着したりしなくなる。
【００１４】
そして、前記使用者Ｍは、排尿が完了した後、足部を前記凹部１１から離脱させ、一方の足でフットスイッチ１６を再度踏む。さすれば、モータ１５が逆回転し、前記踏み板１２が下方に回動し、図１の実線で示すように、凹部１１を閉じることになる。これにより、他の使用者が不用意に凹部１１に落下しなくなる。
【００１５】
図４〜図６は第２実施例を示す。図４〜図６において、１は第１実施例と同様の洋式便器、１０は該洋式便器１が設置された床である。該床１０の便器本体２の前部側に位置する部位に凹部２０を形成する。該凹部２０は、前述と同様に、排尿する男性の足部が嵌合できるようにしたもので、図４、図６に示すように、便器本体２の前部外周を包囲するように平面視凹形に凹ませる。即ち、左右中心部の前後幅Ｗ１が２０ｃｍ〜２５ｃｍ、左右両側部の前後幅Ｗ２が３０ｃｍ〜４０ｃｍ、深さＳ１が２０〜３０ｃｍ、左右幅Ｌ１は便器本体２の左右幅よりも広幅となる５０ｃｍ〜６０ｃｍとする。
【００１６】
前記凹部２０の上面は踏み板２１によって開閉される。該踏み板２１は凹部２０の平面形状に略対応して該凹部２０内で上下動可能に嵌合する変形長方形状に形成され、凹部２０内に設置した左右一対のジャッキ（駆動装置）２２によって上下動される。該ジャッキ２２は、ねじ軸及び該ねじ軸を正逆回転させるモータを内蔵する電動ねじ式とし、便所内の壁に設置したスイッチ２３を１回押すとモータが正回転し、ねじ軸を介して前記踏み板２１を降下させて凹部２０の上面を開き（図５）、前記スイッチ２３を再度押すとモータが逆回転し、ねじ軸を介して前記踏み板２１を上昇（図４）させ、前記凹部２０の上面が閉じられるようになっている。
【００１７】
前記第２実施例によれば、図４に示すように、使用者（男性）Ｍが上昇している踏み板２１に乗って起立し、この状態でスイッチ２３を押すと、ジャッキ２２が短縮作動して踏み板２１が降下し、前記使用者Ｍは、図５に示すように、足部が凹部２０内に嵌合した状態で起立することになる。これにより、使用者Ｍの排尿源が便器本体２の直上方に位置し、排尿した尿が確実に便器本体２内に排出されることになる。
【００１８】
そして、前記使用者Ｍは、排尿が完了した後、凹部２０内で起立した状態で前記スイッチ２３を再度押すと、図４に示すように、ジャッキ２２が伸長作動して踏み板２１が上昇し、凹部２０の上面が閉塞されることになる。これにより、他の使用者が不用意に凹部２０に落下しなくなる。なお、前記ジャッキ２２は油圧ポンプによって伸縮作動する油圧シリンダーに換えてもよい。
【符号の説明】
【００１９】
１          洋式便器
２          便器本体
３          便座
４          蓋
１０          床
１１（２０）  凹部
１２（２１）  踏み板
１３          支点軸
１５          モータ（駆動装置）
１６          フットスイッチ（スイッチ）
２２          ジャッキ（駆動装置）
２３          スイッチ
【図１】
2010200800.tif 000003
【図２】
2010200800.tif 000004
【図３】
2010200800.tif 000005
【図４】
2010200800.tif 000006
【図５】
2010200800.tif 000007
【図６】
2010200800.tif 000008